(57)【要約】【課題】土留まで150mm〜200mm程度で地下外壁の外に敷設できる、防水材と断熱材を一体とした断熱防水材及び施工方法を提供する。【解決手段】本発明の断熱防水構造は、粘着性のあるシート状の防水材を貼った板状の断熱材により構成されている。柔らかいシート状の防水材を板状の断熱材に貼ることにより、山留めと地下室外壁の間の隙間に内部から上部よりまっすぐに下ろすことが可能となる。断熱材の大きさに合わせて型枠コンクリートブロックを積むことにより、上部に繰り返し施工できる。断熱材にシート状の防水材をずらして2重に貼っておくことにより、防水の継目部分に対応する。また、断熱材上部には施工をしやすくするために、持ち手を設けておく。この持ち手は次の段の断熱防水材を施工する際の当たりとなる【選択図】図１
2020012262.tif 000002
【特許請求の範囲】
【請求項１】
地下室内部から地下外壁の外に敷設できる、板状の断熱材と粘着性のあるシート状の防水材を一体とした断熱防水材を特徴とした断熱防水構造の施工法。
【請求項２】
請求項１に使用する、シート状の防水材の継目部分の重ね代として、シート状の防水材を100mm程度ずらして2重に貼ることで確保した板状の断熱材と粘着性のあるシート状の防水材を一体とした断熱防水材。
【請求項３】
請求項2の防水シートを1重で行う場合の、1枚の防水シートの大きさを下地となる断熱材より縦横とも100mm程度大きくし、縦横それぞれ1方向に100mm程度貼り伸ばした形状を特徴とする断熱防水材。
【請求項４】
請求項1の断熱防水材を施工する際の持ち手及び、次の段の断熱防水材を施工する際の当たりとなることを特徴とする断熱材正面上部に設けられた突起物。
【発明の詳細な説明】
【技術分野】
【０００１】
本発明は、建築物などの地下外壁の上に敷設される防水材と断熱材を一体とした断熱防水構造、この断熱防水構造に用いられる断熱防水材、施工具、及び、断熱防水構造を敷設するための施工法に関する。
【背景技術】
【０００２】
建築物の地下室の構造において、防水性能は必要不可欠であり、断熱材の施工は結露防止のために極めて有効な手段である。
防水工事は、地下外壁の施工後外部より塗膜防水やシート防水などで行うことが一般的であり、断熱工事を行う場合は、外壁躯体の内側若しくは外側に防水工事とは別工程にて断熱材を敷設する。
【先行技術文献】
【特許文献】
【０００３】
【特許文献１】特に無し
【非特許文献】
【０００４】
【非特許文献１】特に無し
【発明の概要】
【発明が解決しようとする課題】
【０００５】
一般的に地下外壁として多く施工されるコンクリート躯体の場合、鉄筋工事、型枠工事、コンクリート工事、型枠解体工事、防水工事、断熱工事と工程が多く工期がかかる。
また、地下外壁と山留めとの間に1ｍ〜1.5ｍ程度の作業スペースが必要となり、土の掘削、埋戻し量が多くなる。
そこで、地下外壁に型枠コンクリートブロックを使用し内部より施工することにより、工事工程を減らすとともに、外壁周囲の作業スペースを150〜200ミリ程度に抑え、土の掘削、埋戻し量を大幅に減らす事が可能となる。
本発明は、その狭い作業スペースでも、地下外壁の上に敷設できる防水材と断熱材を一体とした断熱防水構造、この断熱防水構造に用いられる断熱防水材、施工具、及び、断熱防水構造を敷設するための施工方法を提供することを目的とする。
【課題を解決するための手段】
【０００６】
本発明の断熱防水構造は、粘着性のあるシート状の防水材を貼った板状の断熱材により構成されている。柔らかいシート状の防水材を板状の断熱材に貼ることにより、山留めと地下室外壁の間の隙間に内部から上部よりまっすぐに下ろすことが可能となる。断熱材の大きさに合わせて型枠コンクリートブロックを積むことにより、上部に繰り返し施工することができる。
防水シートの継目部分の重ね代は、断熱材に粘着性のあるシート状の防水材をずらして2重に貼っておくことにより確保する。また、施工する際の持ち手及び、次の段の断熱防水材を施工する際の当たりとなる突起物を断熱材正面上部に設けている。
【発明の効果】
【０００７】
本発明により、地下外壁に型枠コンクリートブロックを施工する可能性が広がる。また、工期の簡略化、短縮化、工事費の削減が図られる。
【図面の簡単な説明】
【０００８】
【図１】本発明の断熱防水構造に使用する防水材付断熱材の表面図、裏面図及び断面図である。
【図２】実施形態の施工方法を示す図である。
【図３】実施形態の施工方法を示す図である。
【図４】実施形態の施工方法を示す図である。
【図５】本発明の断熱防水構造の施工法の１実施例を示す展開図及び断面図である。
【発明を実施するための形態】
【０００９】
以下、本発明の実施形態の一例にかかる断熱防水材及び断熱防水構造の施工方法を、図面を参照しながら説明する。
【００１０】
図1は、本実施形態に係る断熱防水材の構成を示す図である。図1（A）は断熱防水材の表面図、図1（B）は断熱防水材の断面図、図1（C）は断熱防水材の接着面の図面である。
【００１１】
図1（A）から図1（C）に示すように、本発明の断熱防水材は、板状の断熱発泡材1及び持ち手部分2と板状の断熱材の裏面に貼り付けられた粘性のある2層の防水シート3及び防水シート4から構成されている。防水シート4は、防水シート3の上及び左右どちらかに100mm程度ずらして貼り付ける。これが、本発明の断熱防水材の基本部材である。
【００１２】
板状の断熱材1及び持ち手部分2の材料としては、例えばJIS A9511（発泡プラスチック保温材）に示されている材質（ビーズ法ポリスチレンフォーム保温材，押出法ポリスチレンフォーム保温材，硬質ウレタンフォーム保温材，ポリエチレンフォーム保温材及びフェノールフォーム保温材）や炭酸カルシウム系発泡板である。断熱材の短辺の長さは、例えば600〜1000mmであるが、作業性を考慮した場合、600mm程度が良いと思われる。長辺の長さについては、例えば600〜2000mmである。厚みについては、必要な断熱性能によるが、例えば20〜100mmである。
【００１３】
持ち手部分2は、板状の断熱材1から出っ張って取り付けられており、山留めと地下室外壁の間の隙間に内部から上部よりまっすぐに下ろすための手掛かりとなる。断熱防水材の接着面が地下室外壁に触れないように、外壁面から少し離して下ろす必要がある。その際、出っ張っている持ち手部分2は、次の断熱材1の当たりとなる。
【００１４】
防水シート3及び4の材料としては、粘性のある材料が適しており、例えばブチルゴムシートや改質アスファルートシートである。ともに強力な粘着性により下地に容易かつ隙間なく貼り付き、確実な防水性能が期待できる。上及び左右どちらかに100mm防水材をずらして2重に貼っておくことにより、防水の継目部分に対応する。
【００１５】
図2から図4は、本実施形態の施工方法を示す図である。
【００１６】
図2（a）に示すように、断熱防水材の防水シート4が型枠コンクリートブロック5の1段目に掛かるように施工する。型枠コンクリートブロックを内側より断熱材の高さの分だけ積み上げる。図2（b）は、断熱材の高さ600mmを例として高さ200mmの型枠コンクリートブロック5を2段目から4段目まで積んだ状態を示している。図2（ｃ）に示すように、持ち手部分2を持ち、山留めと地下室外壁の間の隙間に内部から上部よりまっすぐに下ろす。その際、断熱防水材の接着面が地下室外壁に触れないように、外壁面から少し離して下ろす必要がある。
【００１７】
図3（ｄ）に示すように、出っ張っている持ち手部分2は、断熱材1の当たりとなる。その後、断熱防水材全体を型枠コンクリートブロック側に引き寄せる。図3（e）に示すように、型枠コンクリートブロックに接着後、上部よりゴムローラー等により充分に転圧する。その後、再び型枠コンクリートブロックを内側より断熱材の高さの分だけ積み上げる。図3（ｆ）は、断熱材の高さ600mmを例として高さ200mmの型枠コンクリートブロック5を5段目から7段目まで積んだ状態を示している。
【００１８】
その後、再び図4（ｇ）に示すように、持ち手部分2を持ち、山留めと地下室外壁の間の隙間に内部から上部よりまっすぐに下ろす。同じように、断熱防水材全体を型枠コンクリートブロック側に引き寄せ（図4（ｈ））、接着後、上部よりゴムローラー等により充分に転圧する（図4（i））。この工程を繰り返す。
【００１９】
図5（D)は、本発明の実施形態を山留め側から見た図である。格段とも、入隅部分または出隅部分10の断熱防水材を先行して施工する。入隅部分または出隅部分10の防水シート4は、防水シート3の上方に100mm程度ずらし、左右両方共100mm程度伸ばして貼り付ける。その後、各段ごとに半分ずらして基本断熱防水材を施工する。各段の最後に、残りの部分を防水シート3までを貼った断熱材を現場合わせにより切断し、防水シート3より左右ともに100mm程度短い防水シート4を貼り施工する。
【００２０】
図5（E）は、本発明の実施形態の断面図である。型枠コンクリートブロック5を積上げ、断熱防水材を貼った後、スラブと型枠コンクリート内にコンクリート7を打設する。その際、最上部の防水シート4の上部100mmの接着面の剥離紙は残しておく。その後、山留めと断熱材の隙間にコンクリート8を打設するか良質土にて埋め戻すが、断熱材の保護という意味からもコンクリートを打設するほうが望ましい。地上部分の断熱材は、モルタル9にて保護する。最後に残しておいた防水シート4の剥離紙を剥がし、コンクリートを打設したコンクリートブロック上部に貼り付ける。
【産業上の利用可能性】
【００２１】
本発明は、主に木造や軽量鉄骨などの建物に小規模な地下室を設ける場合に利用されることが見込まれる。特に、掘削面積が少なくて済むので、狭小な敷地での活用が見込まれる。また、使用材料も型枠コンクリートブロック、発泡断熱材、ブチルゴムや改質アスファルトシート等の粘着性のある防水シートなど、市場に出回っている材料である。また、型枠工や鉄筋工、防水工などの特殊工ではなく、一般工でも作業が可能であり、比較的安価に施工することが可能である。
【符号の説明】
【００２２】
1  板状の断熱発泡材
2  持ち手部分
3  粘着防水シート
4  粘着防水シート
5  型枠コンクリートブロック
6  山留め
7  コンクリート
8  コンクリート
9  保護モルタル
10  板状の断熱発泡材（コーナー部材）
【図１】
2020012262.tif 000003
【図２】
2020012262.tif 000004
【図３】
2020012262.tif 000005
【図４】
2020012262.tif 000006
【図５】
2020012262.tif 000007